(57)【要約】【課題】操作者の衣服などがトグルレバーの頂部に触れて、スイッチが誤操作されるのを防止する。【解決手段】業務用カメラ（電子機器）の筐体の外装部において、落とし込みの凹面５aを有するスイッチカバー５と、該スイッチカバー５の前記落とし込みの凹面５aから突出して、該落とし込みの凹面内でＯＮ／ＯＦＦ操作される（主電源用スイッチの）トグルレバー４ａとを備え、前記落とし込みの凹面５aは、電源ＯＮ時にトグルレバー４ａが傾斜する一方の側の面が、電源ＯＦＦ時にトグルレバー４ａが傾斜する他方の側の面よりも隆起して、電源ＯＮ時のトグルレバー４ａに不測の外力が作用するのを防止するＯＮ側隆起構造となっている。【選択図】図２
2011150855.tif 000002
【特許請求の範囲】
【請求項１】
電子機器の筐体の外装部において、落とし込みの凹面を有するスイッチカバーと、該スイッチカバーの前記落とし込みの凹面から突出して、該落とし込みの凹面内でＯＮ／ＯＦＦ操作されるトグルレバーとを備え、
前記落とし込みの凹面は、電源ＯＮ時に前記トグルレバーが傾斜する一方の側の面が、電源ＯＦＦ時に前記トグルレバーが傾斜する他方の側の面よりも隆起して、電源ＯＮ時のトグルレバーに不測の外力が作用するのを防止するＯＮ側隆起構造となっていることを特徴とするスイッチの誤操作防止機構。
【請求項２】
前記ＯＮ側隆起構造として、前記スイッチカバーの前記落とし込みの凹面は、電源ＯＮ時に前記トグルレバーが傾斜する前記一方の側の上段面と、電源ＯＦＦ時に前記トグルレバーが傾斜する前記他方の側の下段面との段差面からなることを特徴とする請求項１記載のスイッチの誤操作防止機構。
【請求項３】
前記ＯＮ側隆起構造として、前記スイッチカバーの前記落とし込みの凹面には、電源ＯＮ時に前記トグルレバーが傾斜する前記一方の側の面を、電源ＯＦＦ時に前記トグルレバーが傾斜する前記他方の側の面よりも隆起させる隆起部材が付加されていることを特徴とする請求項１記載のスイッチの誤操作防止機構。
【請求項４】
隆起面としての前記上断面は、電源ＯＮ時に前記トグルレバーが傾斜した状態でのレバー頭部の高さとほぼ同じ高さに設定されていることを特徴とする請求項２記載のスイッチの誤操作防止機構。
【請求項５】
前記隆起部材の高さは、電源ＯＮ時に前記トグルレバーが傾斜した状態でのレバー頭部の高さとほぼ同じ高さに設定されていることを特徴とする請求項３記載のスイッチの誤操作防止機構。
【請求項６】
前記電子機器が、業務用カメラであることを特徴とする請求項１記載のスイッチの誤操作防止機構。
【請求項７】
前記トグルスイッチは、主電源スイッチであることを特徴とする請求項１乃至６のいずれか１に記載のスイッチの誤操作防止機構。
【請求項８】
前記上段面には、電源ＯＮ時に前記トグルレバーが傾斜して少なくとも部分的に収納される傾斜溝が設けられていることを特徴とする請求項２記載のスイッチの誤操作防止機構。
【請求項９】
電子機器の筐体の外装部において、落とし込みの凹面を有するスイッチカバーと、該スイッチカバーの前記落とし込みの凹面から突出して、該落とし込みの凹面内でＯＮ／ＯＦＦ操作される波型スイッチ部材とを備え、
前記落とし込みの凹面は、電源ＯＮ時に前記波型スイッチ部材の山部が形成される一方の側の面が、電源ＯＦＦ時に前記波型スイッチ部材の山部が形成される他方の側の面よりも隆起して、電源ＯＮ時のスイッチ部材に不測の外力が作用するのを防止するＯＮ側隆起構造となっていることを特徴とするスイッチの誤操作防止機構。
【発明の詳細な説明】
【技術分野】
【０００１】
この発明は、スイッチの誤操作防止機構に係り、特に、業務用カメラや汎用の撮像装置などに付設されて頻繁に操作が繰り返されるトグルスイッチの誤操作を防止するための誤操作防止機構に関する。
【背景技術】
【０００２】
携帯用の業務用カメラなどは、主電源となるバッテリの無駄な消耗を避けるために、撮影状態に応じて頻繁に主電源用スイッチのＯＮ／ＯＦＦが繰り返されている。このような主電源スイッチとしては、操作性のよいトグルスイッチが好んで使用されている。図６は、一般に使用されている携帯型の業務用カメラの背面図である。図６に示すように、業務用カメラ１１の側面には、保護用パッド１２が設けられ、背面には主電源となるバッテリ１３が設けられている。また、バッテリ１３の電源回路をＯＮ／ＯＦＦするための主電源用スイッチ１４は、スイッチカバー１５の側面の後方に配置されている。
【０００３】
この主電源用スイッチ１４は、バッテリ１３の無駄な電力消費を避けるために頻繁にＯＮ／ＯＦＦの操作ができるように要求されている。このため、主電源用スイッチ１４としては、操作性のよいトグルスイッチが採用されている。また、主電源用スイッチ１４の誤操作を防止するために、主電源用スイッチ１４はスイッチカバー１５の表面から一段落とし込んだ凹部（凹面）１５ａに配置され、凹部（凹面）１５ａには、主電源用スイッチ（トグルスイッチ）１４のトグルレバーが、凹部１５ａ内に納まる態様で、つまり、凹部１５ａからはみ出さない程度に、突設されている。このようにして、主電源用スイッチ１４全体がスイッチカバー１５の表面に露出しないようにして、主電源用スイッチ１４が無意識のうちに誤操作されることを防止している。
【０００４】
また、関連技術として、放送用テレビカメラにおいて、リセットスイッチの位置と運転モード操作スイッチやエリア変更スイッチの位置とを筐体の左右に振り分けてカメラマンの操作に最適な位置の設けることで、操作性の向上とスイッチの誤操作防止とを図った技術が開示されている（例えば、特許文献１参照）。また、電源スイッチとなる波型スイッチ（波型ロッカースイッチ）の上部に、回動自在かつ自重により波型スイッチを覆う操作ロックカバーを設けることにより、衣服などが波型スイッチに触れないようにして波型スイッチの誤操作を防止する技術も開示されている（例えば、特許文献２参照）。
【０００５】
さらに、トグルスイッチの上部表面にスライド蓋を設け、このスライド蓋を開蓋してトグルスイッチの操作を行い、トグルスイッチを操作しないときはスライド蓋を閉じることにより、トグルスイッチの誤操作を防止する技術も開示されている（例えば、特許文献３参照）。また、ビデオカメラの表面パネルの凹部にトグルスイッチを設けると共に、この凹部の表面を回動自在に覆う蓋カバーを設け、この蓋カバーを開けてトグルスイッチの操作を行い、操作終了後は自動的に蓋カバーが閉まるように構成することにより、不必要なときにトグルスイッチが誤操作されるのを防止する技術も開示されている（例えば、特許文献４参照）
【先行技術文献】
【特許文献】
【０００６】
【特許文献１】特開２００６−０７８６６８号公報
【特許文献２】特開２００６−２１６４８４号公報
【特許文献３】特開平１０−２０８５７４号公報
【特許文献４】特開平１１−１３４９６９号公報
【発明の概要】
【発明が解決しようとする課題】
【０００７】
しかしながら、図６に示すように主電源用スイッチ１４をスイッチカバー１５の凹部１５ａに配置したとしても、操作者が指で操作する以外に、衣服や肘などが主電源用スイッチ１４のトグルレバーに接触して誤操作が生じると、主電源回路を遮断させて業務用カメラ１１の録画を停止させてしまうおそれがある。また、前述の特許文献２，３，４の技術は、いずれも、トグルスイッチ又は波型スイッチからなる電源スイッチの表面に蓋カバー又はスライド蓋を設けて電源スイッチを覆うことによって誤操作を防止している。
【０００８】
したがって、このような構成では、操作に必要なスイッチ部品以外に、蓋カバーやスライド蓋及びそれらを回動又はスライドさせる機構等を追加しなければならないので、部品点数が増えて機器をコストアップさせる要因となる。さらに、スイッチを操作するときには、蓋カバー又はスライド蓋を開けるための蓋開放操作とスイッチをＯＮにするスイッチ操作との２工程の操作が必要となる。さらに、蓋カバー又はスライド蓋が自動的に閉まらなければそれらを閉めるための蓋閉め操作が追加されるので３工程の操作が必要となり、頻繁に操作が行われるスイッチとしては操作上の使い勝手が極めてよくない。なお、前述の特許文献１の技術は、放送用テレビカメラの両側にそれぞれ異なる機能を有するスイッチを配置しているので、所望する機能とは異なるスイッチを誤操作させるミスを防ぐことはできるものの、操作者の衣服などがスイッチに触れて誤操作を引き起こす事態については何の対策もなされていない。
【０００９】
この発明は、上述の事情に鑑みてなされたもので、一工程の操作でスイッチのＯＮ／ＯＦＦ操作ができると共に、操作者の衣服の纏わり付などによるスイッチの誤操作を防止できるスイッチの誤操作防止機構を提供することを目的としている。
【課題を解決するための手段】
【００１０】
上記目的を達成するために、この発明の構成は、電子機器の筐体の外装部において、落とし込みの凹面を有するスイッチカバーと、該スイッチカバーの前記落とし込みの凹面から突出して、該落とし込みの凹面内でＯＮ／ＯＦＦ操作されるトグルレバーとを備え、前記落とし込みの凹面は、電源ＯＮ時に前記トグルレバーが傾斜する一方の側の面が、電源ＯＦＦ時に前記トグルレバーが傾斜する他方の側の面よりも隆起して、電源ＯＮ時のトグルレバーに不測の外力が作用するのを防止するＯＮ側隆起構造となっていることを特徴としている。
【発明の効果】
【００１１】
この発明の構成によれば、操作者の衣服や肘などがトグルレバーに触れて、突然、スイッチをＯＮからＯＦＦに切り替えてしまうなどの誤操作を防止できる。
【図面の簡単な説明】
【００１２】
【図１】この発明に係る携帯型の業務用カメラの背面図である。
【図２】図１に示す主電源スイッチの近傍を拡大した斜視図である。
【図３】図２に示す主電源スイッチの近傍を側面から見た平面図である。
【図４】この発明に係るトグルスイッチの誤操作防止機構の一実施形態を説明するための概念図である。
【図５】この発明に係るトグルスイッチの誤操作防止機構の他の実施形態を説明するための概念図である。
【図６】一般に使用されている携帯型の業務用カメラの背面図である。
【発明を実施するための形態】
【００１３】
この発明のＯＮ側隆起構造は、スイッチカバーの落とし込みの凹面を、電源ＯＮ時にトグルレバーが傾斜する一方の側の上段面と、電源ＯＦＦ時に前記トグルレバーが傾斜する他方の側の下段面との段差面で構成することで具現できる。
隆起面としての前記上断面は、電源ＯＮ時に前記トグルレバーが傾斜した状態でのレバー頭部の高さとほぼ同じ高さに設定されるのが好ましい。
前記上段面には、電源ＯＮ時に前記トグルレバーが傾斜して少なくとも部分的に収納される傾斜溝が設けられていることが好ましい。
【００１４】
また、この発明のＯＮ側隆起構造は、スイッチカバーの落とし込みの凹面に、電源ＯＮ時にトグルレバーが傾斜する一方の側の面を、電源ＯＦＦ時にトグルレバーが傾斜する他方の側の面よりも隆起させる隆起部材を付加することでも具現できる。
隆起部材の高さは、電源ＯＮ時に前記トグルレバーが傾斜した状態でのレバー頭部の高さとほぼ同じ高さに設定されるのが好ましい。
この発明は、表面にトグルレバーを有し、トグルレバーを相対的に反対方向へ倒すことでＯＮ／ＯＦＦ操作を行うシーソー型のスイッチの誤操作を防止するためのスイッチの誤操作防止機構であって、トグルレバーが倒れている側に、トグルレバーの高さとほぼ同じ高さの隆起部を配置することによって、一工程の操作でスイッチのＯＮ／ＯＦＦ操作ができると共に、操作者の衣服や肘などがトグルレバーに触れることで、電源ＯＮ時のトグルレバーに不測の外力が作用するのを防止できる。
【実施形態】
【００１５】
以下、図面を参照して、この発明の一実施形態について詳細に説明する。
図１は、この発明に係る携帯型の業務用カメラの背面図である。また、図２は、図１に示す主電源スイッチの近傍を拡大した斜視図であり、この発明に係るトグルスイッチの誤操作防止機構を示している。さらに、図３は、図２に示す主電源スイッチの近傍を側面から見た平面図である。また、図４は、この発明に係るトグルスイッチの誤操作防止機構の一実施形態を説明するための概念図である。さらに、図５は、この発明に係るトグルスイッチの誤操作防止機構の他の実施形態を説明するための概念図である。
【００１６】
図１に示すように、業務用カメラ１の側面には、保護用パッド２が設けられ、背面には主電源となるバッテリ３が設けられている。また、バッテリ３の電源回路をＯＮ／ＯＦＦするための主電源用スイッチ４は、スイッチカバー５の側面の後方に配置されている。この主電源用スイッチ４は、バッテリ３の無駄な電力消費を避けるために頻繁にＯＮ／ＯＦＦの操作ができるように要求されている。そのため、主電源用スイッチ４は操作性のよいトグルスイッチが採用されている。また、主電源用スイッチ４の誤操作を防止するために、主電源用スイッチ４はスイッチカバー５の表面から一段落とし込んだ凹部（凹面）５ａに配置され、スイッチカバー５の表面には主電源用スイッチ（トグルスイッチ）４のトグルレバー４ａのみが僅かに突出している。凹部（凹面）５ａには、主電源用スイッチ４のトグルレバー４ａが、凹部５ａ内に納まる態様で、つまり、凹部５ａからはみ出さない程度に、突設されている。
【００１７】
さらに、この発明の実施形態による主電源用スイッチ（トグルスイッチ）４の誤操作防止機構として、主電源をＯＮしたときに主電源用スイッチ４のトグルレバー４ａが傾斜する側に隆起部（隆起面、上段面）６が設けられている。このような隆起部６が設けられていることにより、主電源用スイッチ４を図の左側に倒してＯＮするときには操作がしやすく、主電源用スイッチ４を図の右側に倒してＯＦＦするときは簡単に操作することができないようになっている。そのため、操作者の衣服などが主電源用スイッチ４のトグルレバー４ａの頂部（頭部）に触れても、主電源用スイッチ４がＯＦＦ側に倒れるおそれはないので、業務用カメラ１の主電源が遮断されて録画が停止するような放送事故を防ぐことができる。このようにして、主電源用スイッチ４全体がスイッチカバー１５の表面に露出しないようにすると共に、ＯＮ側に隆起した隆起部６によってＯＦＦ側への操作を行い難くすることにより、主電源用スイッチ４が無意識のうちに誤操作されることを防止している。
【００１８】
図２、図３、及び図４を用いて、この発明の一実施形態であるトグルスイッチの誤操作防止機構についてさらに詳しく説明する。図２及び図３に示すように、主電源スイッチ４をＯＮさせるときにトグルレバー４ａが傾斜する凹部５ａの左側部分に隆起部６を設けて凹部５ａを隆起させる。なお、隆起部６を隆起させる高さは、主電源スイッチ４におけるトグルレバー４ａの高さと同じくらいとする。このようにして、スイッチカバー５の凹部５ａにおいてトグルレバー４ａがＯＮする側に隆起部６を設けることにより、主電源スイッチ４を、図２または図３の左側に倒してＯＮするときは操作がしやすくなっている。しかし、主電源スイッチ４を図２または図３の右側に倒してＯＦＦするときは、隆起部６の高さと主電源スイッチ４のトグルレバー４ａの高さとがほぼ同じになっているので簡単にＯＦＦの操作ができないため、業務用カメラ１の電源が遮断されて録画停止を引き起こすような放送事故を防ぐことができる。
【００１９】
さらに詳しく説明すると、図４に示すように、主電源スイッチ（トグルスイッチ）４の誤操作防止機構は、主電源スイッチ４と隆起部６ａとによって実現することができる。隆起部６ａは、主電源スイッチ（トグルスイッチ）４のトグルレバー４ａがＯＮ側（図の左側）に倒れたときにそのトグルレバー４ａを収納する収納領域７ａが形成されている。また、隆起部６ａの平坦部８の高さはトグルレバー４ａの高さとほぼ同じになっている。なお、トグルレバー４ａがＯＮ側に倒れたときの、トグルレバー４ａと隆起部６ａの収納領域７との間の隙間は、操作者の指先がトグルレバー４ａの頂部曲面の隙間部分に辛うじて入り込める程度の狭い隙間である。これによって、トグルレバー４ａをＯＦＦ側からＯＮ側へ倒すときには操作がしやすいが、そのトグルレバー４ａをＯＮ側からＯＦＦ側へ倒すときには操作がし難くなっている。
【００２０】
また、図５に示すように、主電源スイッチ４のトグルレバー４ａがＯＮ側に倒れた収納領域７ｂの近傍における隆起部６ｂの高さはトグルレバー４ａの高さとほぼ同じにして、隆起部６の後部側は高さが徐々に低くなるように傾斜面部９を形成してもよい。このような傾斜面部９が形成された隆起部６ｂをトグルレバー４ａのＯＮ側に設けても、前述と同様に、トグルレバー４ａをＯＦＦ側からＯＮ側へ倒すときには操作がしやすいが、そのトグルレバー４ａをＯＮ側からＯＦＦ側へ倒すときには操作がし難くすることができる。
【００２１】
さらに、図５のように、隆起部６ｂと主電源スイッチ４のＯＮ時のトグルレバー４ａとの対向面で両者の高さをほぼ同じにすると共に、隆起部６ｂの後部に行くにしたがって隆起部６ｂの高さを低くするような傾斜面部６ｂを形成することにより、ＯＮ側からＯＦＦ側への誤操作を一層し難くすることができる。すなわち、操作者が指でトグルレバー４ａに触れて主電源スイッチ４をＯＦＦするときの操作はできるが、衣服などがトグルレバー４ａの近傍に触れたときには、その衣服などは隆起部６ｂの傾斜面部９に沿って斜め上方へ移動するので、衣服などはトグルレバー４ａの頂部をかすめて通過する。そのため、衣服がトグルレバー４ａの頂部に引っかかりにくくなり、トグルレバー４ａをＯＦＦ側に操作し難くすることができる。
【００２２】
なお、図４、図５に示すような隆起部６ａ、６ｂは、追加部品としてスイッチカバー５の凹部５ａに収納された主電源スイッチ４の所定の位置に設置してもよいが、あらかじめ、トグルスイッチカバー５又は業務用カメラ１の筐体と共に一体成形で設けてもよい。このようにして、筐体と一体成形で隆起部６ａ、６ｂを設けておけば、新たな部品を追加する必要がなくなるので、業務用カメラ１をコストアップさせる要因とはならない。
【００２３】
以上述べたように、トグルスイッチの誤操作防止機構を上述のような構成にすることにより、主電源スイッチのＯＮ／ＯＦＦ操作が必要なときには、業務用カメラ１の主電源用スイッチ４を容易に操作することができる。また、ＯＮ／ＯＦＦ操作が不必要なときには、操作者の衣服や肘などによる突然の外力によって主電源用スイッチ４が誤操作されるのを防止することができる。
【００２４】
すなわち、この発明の一実施形態によるスイッチの誤操作防止機構は、主電源スイッチ（トグルスイッチ）のＯＮ／ＯＦＦ操作を一工程で行うことができると共に、誤操作によって主電源スイッチがＯＦＦされることを防止することができる。しかも、新たな部品を追加することなく、筐体の部分的な形状を一部変更すだけで、簡単な構成によってスイッチの誤操作防止機構実現することができる。
【００２５】
以上、この発明の実施形態を、図面を参照して詳述してきたが、この発明の具体的に構成は、これらの実施形態に限られるものではなく、この発明の趣旨を逸脱しない範囲の設計の変更等があってもそれらはこの発明に含まれる。すなわち、前述の実施形態では、トグルスイッチを用いた場合を例に挙げて説明したが、これに限定されるものではなく、例えば、波型スイッチにも適用できる。
【００２６】
すなわち、波型スイッチを用いた場合は、その波型スイッチをＯＮしたときに生じる、波型スイッチの山部とほぼ同じ高さの隆起部をＯＦＦ側に設ければよい。これによって、波型スイッチのＯＮ時において操作者の衣服などが波型スイッチに触れたときには、その衣服は波型スイッチの山部から隆起部をすべり抜けるので、衣服の外力が波型スイッチをＯＦＦ側へ倒す力として作用するおそれは少ない。これによって、不用意に波型スイッチが誤操作されるおそれはなくなる。
【００２７】
また、上記の実施形態では、主電源スイッチ（トグルスイッチ）がＯＮ側に倒れているときに、ＯＦＦ側へ倒れる誤操作を防ぐためにトグルレバーのＯＮ側に隆起部を設けたが、トグルスイッチが誤操作によってＯＮされないようにすることもできる。この場合は、トグルスイッチがＯＦＦ側に倒れているときに、ＯＮ側へ倒れる誤操作を防ぐためにトグルレバーのＯＦＦ側に隆起部を設ければよい。また、主電源スイッチが波型スイッチである場合についても、前述とは逆に波型スイッチが誤操作によってＯＮされないようにすることもできる。この場合は、波型スイッチがＯＦＦ側に倒れているときに、ＯＮ側へ倒れる誤操作を防ぐために波型スイッチのＯＮ側に隆起部を設ければよい。
【産業上の利用可能性】
【００２８】
この発明によるスイッチの誤操作防止機構は、不要な外力によるスイッチの誤操作を防止することができので、スイッチ操作を行う全ての電気機器に利用することができる。特に、スイッチ操作を頻繁に行う携帯用の電気機器などにおいて有効に利用することができる。
【符号の説明】
【００２９】
１        業務用カメラ
２        保護用パッド
３        バッテリ
４        主電源スイッチ
４ａ        トグルレバー
５        スイッチカバー
５ａ        凹部
６、６ａ、６ｂ        隆起部（隆起面）
７ａ、７ｂ        収納領域（傾斜溝）
８        平坦部
９        傾斜面部
【図１】
2011150855.tif 000003
【図２】
2011150855.tif 000004
【図３】
2011150855.tif 000005
【図４】
2011150855.tif 000006
【図５】
2011150855.tif 000007
【図６】
2011150855.tif 000008